(57)【要約】【課題】通信リンク確立に必要な処理を減らして、優先度の高いサービスを提供する加入者側終端装置との通信リンクを短時間に確立できるＰＯＮシステムを得ること。【解決手段】複数の加入者側終端装置のうち優先的に通信リンクを確立する加入者側終端装置を優先加入者側終端装置として、局側終端装置が、該優先加入者側終端装置が有する識別情報に基づき優先加入者側終端装置に通信リンク確立用信号を送信することを特徴とする。【選択図】図１
2009188519.tif 000002
【特許請求の範囲】
【請求項１】
複数の加入者側終端装置と、前記複数の加入者側終端装置との間で通信リンクを確立するための通信リンク確立用信号を送信して通信リンクを確立する局側終端装置とを備えたＰＯＮシステムにおいて、
前記局側終端装置は、前記複数の加入者側終端装置のうち優先的に通信リンクを確立する加入者側終端装置を優先加入者側終端装置として、該優先加入者側終端装置が有する識別情報に基づき前記優先加入者側終端装置に前記通信リンク確立用信号を送信することを特徴とするＰＯＮシステム。
【請求項２】
前記優先加入者側終端装置は、複数の識別情報を有し、
前記局側終端装置は、前記識別情報に基づき優先度を判断して、前記優先加入者側終端装置に前記通信リンク確立用信号を送信することを特徴とする請求項１記載のＰＯＮシステム。
【請求項３】
前記局側終端装置は、前記通信リンク確立用信号を送信後、前記優先加入者側終端装置からの応答を受信するまでの時間に基づいて、前記優先加入者側終端装置から送信される信号の待ち時間を変更することを特徴とする請求項１または請求項２記載のＰＯＮシステム。
【請求項４】
前記優先加入者側終端装置が有する識別情報は、各優先加入者側終端装置に固有の論理リンクＩＤ又は宛先アドレスであり、
前記局側終端装置は、前記固有の論理リンクＩＤ又は宛先アドレスに基づき、ユニキャスト方式で前記優先加入者側終端装置に対して個別に前記通信リンク確立用信号を送信することを特徴とする請求項１から請求項３のうちのいずれか１項記載のＰＯＮシステム。
【請求項５】
前記優先加入者側終端装置が有する識別情報は、各優先加入者側終端装置に共通の論理リンクＩＤ又は宛先アドレスであり、
前記局側終端装置は、前記共通の論理リンクＩＤ又は宛先アドレスに基づき、マルチキャスト方式で前記優先加入者側終端装置に対して一斉に前記通信リンク確立用信号を送信することを特徴とする請求項１から請求項３のうちのいずれか１項記載のＰＯＮシステム。
【発明の詳細な説明】
【技術分野】
【０００１】
この発明は、局側終端装置（以下ＯＬＴ：Ｏｐｔｉｃａｌ  Ｌｉｎｅ  Ｔｅｒｍｉｎａｌ）と複数の加入者側終端装置（以下ＯＮＵ：Ｏｐｔｉｃａｌ  Ｎｅｔｗｏｒｋ  Ｕｎｉｔ）と光分岐器とで構成される光通信ネットワーク、特にＰＯＮ（Ｐａｓｓｉｖｅ  Ｏｐｔｉｃａｌ  Ｎｅｔｗｏｒｋ）システムに関するものである。
【背景技術】
【０００２】
ＰＯＮシステムでは、１つのＯＬＴと複数のＯＮＵとを、光スターカプラなどのパッシブな光分岐器で接続することにより光通信を行なう。ＰＯＮシステムの制御は、ＩＥＥＥ８０２．３にて標準化されている。ＯＬＴからＯＮＵへの下り信号は、１本の幹線光ファイバを介して前記光分岐器まで送信され、該光分岐器で分岐された後、支線光ファイバを介して全てのＯＮＵに送信される。また、ＯＮＵからＯＬＴへの上り信号は、各ＯＮＵから各支線光ファイバを介して前記光分岐器へ送信され、該光分岐器から１本の幹線光ファイバを介してＯＬＴへ送信される。ここで、ＯＮＵからＯＬＴへの上り信号に関して、複数のＯＮＵが一斉に信号を送信すると、各ＯＮＵから送信された信号同士の干渉が発生し、ＯＬＴ側で正しく信号を受信することができなくなる。
【０００３】
前記信号の干渉を防止するため、各ＯＮＵからＯＬＴへ送信される上り信号は、限られた帯域の中で時分割送信する必要がある。そこで、予め各ＯＮＵを識別するための固有番号であるＬＬＩＤ（Ｌｏｇｉｃａｌ Ｌｉｎｋ ＩＤ）という識別子を各ＯＮＵに付与し、該ＬＬＩＤを用いて各ＯＮＵに対し信号の送信タイミングを通知するようにしている。また、ＯＬＴから各ＯＮＵへ送信される下り信号に関しても、１本の幹線光ファイバから送信された信号は光分岐器で分岐されて全てのＯＮＵに送信される。各ＯＮＵでは、送信される信号に収容されたＬＬＩＤを読み取り、該ＬＬＩＤが自己のＬＬＩＤと一致すれば信号を取り込み、一致しない場合は信号を廃棄する処理を行なう。
【０００４】
ここで、ＩＥＥＥ８０２．３標準では、ＯＬＴは常に新しいＯＮＵを発見する準備のためにＤｉｓｃｏｖｅｒｙＧＡＴＥ信号をブロードキャスト方式で一斉に全ＯＮＵへ送信する。ＤｉｓｃｏｖｅｒｙＧＡＴＥ信号は、ＬＬＩＤが付与されていないＯＮＵ（以下、未登録ＯＮＵ）に対して信号の送信タイミングを通知する信号である。ＯＮＵは、信号同士の干渉を防止するため、ＯＬＴからのＧＡＴＥ（ＤｉｓｃｏｖｅｒｙＧＡＴＥ、ＧｒａｎｔＧＡＴＥなど）信号を受信しない限り、ＯＮＵ側から信号を送信しない設定となっている。
【０００５】
次にＤｉｓｃｏｖｅｒｙＧＡＴＥ信号を受信した未登録ＯＮＵはＲｅｇｉｓｔｅｒＲｅｑｕｅｓｔ信号を送信し、登録の要求、すなわちＬＬＩＤの付与を要求する。次にＯＬＴから未登録ＯＮＵに対しＲｅｇｉｓｔｅｒ信号を送信し、ＬＬＩＤを付与する。また、ＯＬＴは付与したＬＬＩＤを含むＧｒａｎｔＧＡＴＥ信号を該当ＯＮＵにユニキャスト方式で個別に通知する。ＧｒａｎｔＧＡＴＥ信号は他のＯＮＵとのデータの混み具合を見ながら、送信帯域と送信タイミングを通知している。ＯＮＵはＧｒａｎｔＧＡＴＥ信号を受信するとＲｅｇｉｓｔｅｒＡｃｋ信号を送信して、ＧｒａｎｔＧＡＴＥ信号を受信したことをＯＴＬに通知する。以上によりＯＴＬとＯＮＵの通信リンクが確立される。
【０００６】
しかし、従来のＰＯＮシステムでは、特に優先度の高いサービスや、緊急性の高いサービスを提供するＯＮＵ（以下、高優先ＯＮＵ）に対しても、優先度の低いサービスを提供する他のＯＮＵ（以下、低優先ＯＮＵ）と同様に通信リンクの確立が行なわれており、高優先ＯＮＵのサービスを開始するまでに長時間を要するという課題があった。このため、従来のＰＯＮシステムには、ＯＬＴが全ＯＮＵにＧＡＴＥ信号を送信すると、各ＯＮＵが登録要求とともに、自己が提供するサービスを特定するための識別子をＯＬＴへ送信し、ＯＬＴは、ＯＮＵから送信された識別子からサービスを特定し、サービスの優先度を規定した優先度テーブルを参照して、優先度の高いサービスを提供するＯＮＵからＬＬＩＤの付与を行うように構成したものがあった（例えば、特許文献１参照）。
【０００７】
【特許文献１】特開２００６−２６２１２９
【発明の開示】
【発明が解決しようとする課題】
【０００８】
従来のＰＯＮシステムは以上のように構成されていたため、全てのＯＮＵに対し、ＤｉｓｃｏｖｅｒｙＧＡＴＥ信号を送信し、ＯＮＵからのＲｅｇｉｓｔｅｒＲｅｑｕｅｓｔに応じ、ＬＬＩＤ、送信帯域及び送信タイミングを通知するなど、通信リンクを確立するために複数回の処理を必要としていた。このためＯＬＴとＯＮＵの通信リンクの確立に時間が掛かるという課題があった。また、ＤｉｓｃｏｖｅｒｙＧＡＴＥ信号が一定周期で送信されること、及び各ＯＮＵに対して個別に通信リンクの確立処理を行なう必要があることから、ＯＴＬに接続されるＯＮＵの台数が増えると通信リンクの確立処理に掛かる時間がさらに長くなるという課題があった。また、通信リンクの確立処理に掛かる時間が長いため、優先度の高いサービスの提供を開始するまでの時間が長くなるという課題があった。
【０００９】
この発明は、複数の加入者側終端装置のうち優先的に通信リンクを確立する加入者側終端装置との間で、通信リンク確立に必要な処理を減らして、優先度の高いサービスを提供する加入者側終端装置との通信リンクを短時間に確立できるＰＯＮシステムを得ることを目的とする。
【課題を解決するための手段】
【００１０】
この発明に係るＰＯＮシステムは、複数の加入者側終端装置のうち優先的に通信リンクを確立する加入者側終端装置を優先加入者側終端装置として、局側終端装置が、該優先加入者側終端装置が有する識別情報に基づき優先加入者側終端装置に通信リンク確立用信号を送信することを特徴とする。
【発明の効果】
【００１１】
この発明によれば、複数の加入者側終端装置のうち優先的に通信リンクを確立する加入者側終端装置を優先加入者側終端装置として、局側終端装置が、該優先加入者側終端装置が有する識別情報に基づき優先加入者側終端装置に通信リンク確立用信号を送信するようにしたので、優先度の高いＯＮＵとの間で通信リンク確立に必要な処理を減らして、優先度の高いサービスを提供するＯＮＵの通信リンクを短時間に確立できるという効果がある。
【発明を実施するための最良の形態】
【００１２】
以下、この発明における実施の形態の一例について、添付の図面に従って説明する。
実施の形態１．
【００１３】
図１は、実施の形態１によるＰＯＮシステムの構成を示した図である。この実施の形態１によるＰＯＮシステムは、局側の終端装置であるＯＬＴ１と、加入者側終端装置である複数のＯＮＵ２及びＯＮＵ６と、ＯＬＴ１、ＯＮＵ２及びＯＮＵ６とを光ファイバ５を介して接続する光分岐器３と、ＯＬＴ１を監視する監視端末４とを備える。なお図１中のｎは０を除く自然数であり、ＯＮＵ２及びＯＮＵ６がそれぞれｎ個、すなわち複数個ずつ光分岐器３に接続されている。
【００１４】
ＯＬＴ１は、ＰＯＮインタフェースの制御を行なうＰＯＮ制御部１１と、下り信号を送信する光送信部、上り信号を受信する光受信部、及び上り信号と下り信号を合分波するＷＤＭ（Ｗａｖｅｌｅｎｇｔｈ  Ｄｉｖｉｓｉｏｎ  Ｍｕｌｔｉｐｌｅｘｉｎｇ）部からなる光送受信部１２と、登録されているＯＮＵ２及びＯＮＵ６の識別情報であるＬＬＩＤ、ＯＮＵのＭＡＣアドレス、フレーム往復遅延時間（以下ＲＴＴ：Ｒｏｕｎｄ Ｔｒｉｐ Ｔｉｍｅ）等の情報を格納したデータベースであるＬＬＩＤ情報格納部１３と、優先して通信リンクを確立すべきＬＬＩＤの数を格納する優先ＬＬＩＤ設定部１４とを備える。
【００１５】
ＯＮＵ２は、ＰＯＮインタフェース制御を行なうＰＯＮ制御部２１と、上り信号を送信する光送信部、下り信号を受信する光受信部、及び上り信号と下り信号を合分波するＷＤＭ部からなる光送受信部２２と、優先度の高いＬＬＩＤ設定フィールド内に固有のＬＬＩＤを設定するＬＬＩＤ固定部２３と、ＬＬＩＤ固定部２３に設定されたＬＬＩＤを記憶するＬＬＩＤ記憶部２４とを備える。ここでＯＮＵ２は、優先度の高いサービス、例えば、電話サービス、地震等の災害時における自治体の緊急連絡網等のライフラインにかかる通信回線の提供を行なう優先加入者側終端装置であり、ＬＬＩＤ固定部２３に設定されるＬＬＩＤは、高優先で通信リンクの確立を行なう必要がある。
【００１６】
また従来のＰＯＮシステムでは、通信リンク確立時にＯＬＴ１から自動でＯＮＵにＬＬＩＤを割当てていたが、この実施の形態１によるＯＮＵ２のＬＬＩＤ固定部２３には、保守業者やシステム運用業者（以下、保守業者等）により予め決定されたＬＬＩＤが、Ｈ／Ｗ（ハードウェア）設定、またはＳ／Ｗ（ソフトウェア）設定により記憶される。さらに、ＬＬＩＤ固定部２３に設定されるＬＬＩＤは、各ＯＮＵ２に固有の番号であり、重複しない様に保守業者等により保守されている。ＯＮＵ６は、ＬＬＩＤ固定部２３を備えていないか、あるいはＬＬＩＤ固定部２３の機能を無効にしているＯＮＵであり、ＯＮＵ２のように優先度の高いサービスの提供を行わないものである。また、ＯＮＵ６のＬＬＩＤ記憶部２４には、ＯＬＴ１から割り振られたＬＬＩＤが記憶される。その他の構成はＯＮＵ２と同様であるため説明を省略する。
【００１７】
図２は、実施の形態１によるＰＯＮシステムの信号処理について示した図である。
この実施の形態１によるＰＯＮシステムでは、ＯＬＴ１からＯＮＵ２へ向けて送信される下り信号と、ＯＮＵ２からＯＬＴ１へ向けて送信される上り信号とは、使用する光の波長帯域がそれぞれ異なる。このため、上り信号と下り信号は互いに干渉すること無く送受信することが可能である。
【００１８】
しかしながら、複数のＯＮＵ２からＯＬＴ１へ送信される上り信号は、使用する光の波長帯域が同一であり、複数のＯＮＵ２が同時に信号を送信すると、前記信号は干渉を起こし、ＯＬＴ１で正しく信号を受信できなくなる。そのため、図２に示すように、各ＯＮＵ２は、ＯＬＴ１から通知される送信タイミングに基づき上り信号を送信することで信号同士の干渉を防止してＯＬＴ１で正しく信号を受信できるようにしている。なお、ＯＮＵ６に対しても同様にＯＬＴ１から送信タイミングが通知される。
【００１９】
図３は、実施の形態１によるＰＯＮシステムによるＬＬＩＤの割り当て方法について説明した図である。図３に示すように、ＬＬＩＤは、優先して通信リンクが確立される高優先ＬＬＩＤと、そうでない低優先ＬＬＩＤの２つのグループに分けられる。ここで、高優先ＬＬＩＤは、優先度の高いサービスを提供するＯＮＵ２に割り当てられ、低優先ＬＬＩＤは、優先どの低いサービスを提供するＯＮＵ６に割り当てられる。高優先ＬＬＩＤは若番、すなわち番号の最も小さいものからスタートし、ＰＯＮ制御部１１は、優先ＬＬＩＤ設定部１４に格納された数ｎだけＬＬＩＤを若番から確保する。
【００２０】
なお、ＯＮＵ２のＬＬＩＤ固定部２３には、上述したように、保守業者等により予め決定されたＬＬＩＤが設定されるが、このＬＬＩＤ固定部２３に設定されたＬＬＩＤは、ＰＯＮ制御部１１により確保された高優先ＬＬＩＤと一致するように保守業者等により管理されている。また、この実施の形態１によるＰＯＮシステムでは若番からＬＬＩＤを確保するようにしているが、ＬＬＩＤ確保の方法は若番からに限られず、ＯＮＵ２に使用するＬＬＩＤを保守業者等が予め指定するようにしてもよい。
【００２１】
次に動作について説明する。
図４は、実施の形態１によるＰＯＮシステムの通信リンク確立のシーケンスを示した図である。ここでは、この実施の形態１によるＰＯＮシステムの通信リンク確立について図１及び図４を用いて説明する。はじめに、ＯＮＵ２のＰＯＮ制御部２１は、ＯＮＵ２の出荷時や加入者宅の設置時（以下、出荷時等）にＬＬＩＤ固定部２３に設定されたＬＬＩＤを読出し、読み出したＬＬＩＤをＬＬＩＤ記憶部２４に記憶する。なお、ＬＬＩＤ固定部２３からＬＬＩＤ記憶部２４へのＬＬＩＤの記憶は、ＯＮＵ２の電源投入時、またはリセット解除時に１度だけ実施し、設定されたＬＬＩＤは変更できないものとする。
【００２２】
次に、ＯＬＴ１のＰＯＮ制御部１１は、優先ＬＬＩＤ設定部１４から優先して通信リンクを確立すべきＬＬＩＤの数ｎ（ｎは０を除く自然数）を読出し、ＬＬＩＤ１からＬＬＩＤｎまでが図３に示した高優先ＬＬＩＤ番号であることを認識する。次に、ＰＯＮ制御部１１は、認識した高優先ＬＬＩＤ１からＬＬＩＤｎと、ＬＬＩＤ情報格納部１３に格納されているＬＬＩＤとの照合を行う。次に、ＰＯＮ制御部１１は、前記照合により、高優先ＬＬＩＤ１からＬＬＩＤｎのうち、どの高優先ＬＬＩＤがＬＬＩＤ情報格納部１３に格納されていないかを認識する。
【００２３】
次に、ＰＯＮ制御部１１は、ＬＬＩＤ情報格納部１３に格納されていない高優先ＬＬＩＤのうちもっとも番号の小さいＬＬＩＤを送信するよう光送受信部１２へ指示する。次に、ＬＬＩＤ情報格納部１３は、ＰＯＮ制御部１１からの指示に基づき、通信リンク確立用信号である前記高優先ＬＬＩＤを含むＧｒａｎｔＧＡＴＥ信号をユニキャスト方式、すなわちユニキャストフレームにより送信する。なお、ＧｒａｎｔＧＡＴＥ信号では、上り信号の送信タイミングと送信帯域、タイムスタンプが通知される。次に、ＰＯＮ制御部１１は、ＬＬＩＤ情報が未登録でありＲＴＴが不明であることから、ＧｒａｎｔＧＡＴＥ信号を送信後、図５（ａ）に示すように、該当するＬＬＩＤが設定されたＯＮＵ２からの上り信号を受信するため、応答待ち時間であるウインドウを拡張してＯＮＵ２からの信号を待機する。ここで、ＯＬＴ１とＯＮＵ２との距離を２０ｋｍ（キロメートル）以下とすると、ＲＴＴは、ＯＬＴ１での処理時間、ＯＮＵ２での処理時間及び２０ｋｍの光伝送時間を考慮し、最大２００μｓ（マイクロ秒）程度となる。
【００２４】
次に、ＯＮＵ２のＰＯＮ制御部２１は、光送受信部２２で受信したＧｒａｎｔＧＡＴＥ信号に含まれる高優先ＬＬＩＤがＬＬＩＤ記憶部２４から読み出したＬＬＩＤと一致している場合、前記ＧｒａｎｔＧＡＴＥ信号からＯＬＴ１への送信タイミングと送信帯域、タイムスタンプを読み取り、時刻同期を行なった上で、ＯＬＴ１にＲｅｐｏｒｔ信号を送信するよう光送受信部２２へ指示する。次に、光送受信部２２は、ＰＯＮ制御部２１からの指示に基づき、Ｒｅｐｏｒｔ信号をＯＬＴ１へ送信する。
【００２５】
次に、ＯＬＴ１のＰＯＮ制御部１１は、受信したＲｅｐｏｒｔ信号に含まれる送信元のＭＡＣ（Media Access Control）アドレスとタイムスタンプから、Ｒｅｐｏｒｔ信号を送信したＯＮＵ２のＭＡＣアドレスとＲＴＴを読み取り、該ＭＡＣアドレスとＲＴＴを、ＬＬＩＤに対応させてＬＬＩＤ情報格納部１３へ格納する。次に、ＯＬＴ１は、ＬＬＩＤ情報格納部１３に格納されていない残りの高優先ＬＬＩＤについても、同様にしてユニキャストフレームにてＧｒａｎｔＧＡＴＥ信号を送信し、ＬＬＩＤ情報の登録処理を行う。
【００２６】
また、通信リンク確率の優先度が高いＯＮＵ２とＯＬＴ１との通信リンクの確立が失敗した時には、規定時間以上、例えば２０ｋｍの光ファイバの往復遅延時間に所定のオフセット時間を足した時間の経過後にＧｒａｎｔＧＡＴＥ信号を再送信する。この再送信により通信リンクが確立した後は、ＰＯＮ制御部１１は、光ファイバの通信帯域を有効活用するため、図５（ｂ）に示すように、ＯＬＴ１内のＬＬＩＤ情報格納部１３に格納されたＲＴＴに応じて、ＯＮＵ２からの信号待ちウインドウを調整する。
【００２７】
なお、低優先ＬＬＩＤが設定されているＯＮＵ６には、ユニキャストによるＧｒａｎｔＧＡＴＥ信号が送信されてこないため、ＯＬＴ１への上り方向の信号を送信できない。このため、優先度の高いＯＮＵ２との間で上り信号の競合がおこらず、ＯＬＴ１で優先的にＯＮＵ２の通信リンク処理が実施される。また、優先度の高いサービスを提供しないＯＮＵ６は、ＯＮＵ２との通信リンク確立後、または規定時間経過後に、ＩＥＥＥ８０２．３標準で規定された従来と同様の方法により通信リンクが確立される。
【００２８】
以上のように、この実施の形態１によるＰＯＮシステムによれば、従来のＰＯＮシステムでは必要であったＯＬＴ１からのブロードキャスト信号によるＤｉｓｃｏｖｅｒｙＧＡＴＥ送信、ＯＮＵ２からＲｅｇｉｓｔｅｒＲＥＱ（登録要求）、再度ＯＬＴ１からのＲｅｇｉｓｔｅｒ（ＬＬＩＤ付与）、ＯＮＵ２からＲｅｓｉｓｔｅｒＡＣＫと４回の処理が不要となる。このため、通常の通信リンク確立のために必要な処理を短縮化して、優先度が高いＯＮＵ２との通信リンクを高速に確立することができるという効果がある。
【００２９】
なお、実施の形態1では、1台のＯＮＵ２に１つのＬＬＩＤを設定する形態について説明したが、ＯＮＵ２のＬＬＩＤ固定部２３に複数のＬＬＩＤを設定するようにしてもよい。このように、１台のＯＮＵ２に複数のＬＬＩＤを設定する場合は、高優先ＬＬＩＤ及び低優先ＬＬＩＤの両方を設定できるようにしてもよい。この場合には、高優先ＬＬＩＤの通信リンクが確立された後、低優先ＬＬＩＤの通信リンクが確立される。このように構成すれば、１台のＯＮＵ２で複数のサービスを提供することが可能となる。
【００３０】
また、１台のＯＮＵ２に複数のＬＬＩＤを設定する場合、ＯＮＵ２のＬＬＩＤ固定部２３に１つのＬＬＩＤだけを設定すれば、設定したＬＬＩＤを基にして連番でＬＬＩＤを自動生成し、ＬＬＩＤ固定部２３に設定されたＬＬＩＤとともに、自動生成したＬＬＩＤをＬＬＩＤ記憶部２４へ記憶するよう構成してもよい。この場合、複数のＬＬＩＤをすべて設定するという手間が省けるという効果がある。
【００３１】
また、この実施の形態１では、ＬＬＩＤを、高優先ＬＬＩＤと低優先ＬＬＩＤの２つのグループに分ける形態について説明したが、ＬＬＩＤをさらに複数のグループ、例えば図６に示すように高優先ＬＬＩＤ、中優先ＬＬＩＤ、低優先ＬＬＩＤの３種類に分けて設定するようにしてもよい。この場合、各グループに割当てられるＬＬＩＤは、高優先が“ＬＬＩＤ１”から“ＬＬＩＤｎ”まで、中優先をＬＬＩＤｎ＋１“から”ＬＬＩＤｎ＋ｍ“とし、残りのＬＬＩＤを低優先に割当てるようＯＬＴ１で管理する。ここでｎ、ｍは０を除く自然数である。
【００３２】
また、通信リンクの確立については、実施の形態１の手順に従い高優先ＬＬＩＤの通信リンク確立後、または規定時間以上経過後に、中優先ＬＬＩＤに対し、通信リンクの確立を実施する。次に、中優先ＬＬＩＤの通信リンク確立後、または規定時間以上経過後に低優先ＬＬＬＩＤの通信リンク確立をＩＥＥＥ８０２．３標準で規定された従来と同様の方法により実施する。なお、その際ＯＬＴ１は、高優先ＬＬＩＤ、中優先ＬＬＩＤに割当てられたＬＬＩＤを、低優先ＬＬＩＤに割当てないものとする。このように構成すれば、通信リンク確立の優先度及びＯＮＵ２で提供するサービスをより柔軟に構築できるという効果がある。
【００３３】
実施の形態２．
図７は、実施の形態２によるＰＯＮシステムの構成を示した図である。実施の形態１では、各ＯＮＵ２に異なるＬＬＩＤを設定し、前記ＬＬＩＤを含むＧｒａｎｔＧＡＴＥ信号をユニキャスト方式により送信する形態について説明したが、この実施の形態２では、ＯＮＵ２にマルチキャスト用のＭＣ ＬＬＩＤを設定し、マルチキャスト方式によりＯＮＵ２へ通信リンク確立用信号であるＤｉｓｃｏｖｅｒｙＧＡＴＥ信号を送信する形態について説明する。
【００３４】
この実施の形態２によるＰＯＮシステムは、ＯＬＴ１が、優先ＬＬＩＤ設定部１４の代わりにリンク用ＭＣ ＬＬＩＤ設定部１５を備えている点、及びＯＮＵ２がＬＬＩＤ固定部２３の代わりにリンク用ＭＣ ＬＬＩＤ設定部２５を備えている点が、実施の形態１と異なる。その他の構成については、実施の形態１と同様であるため、同一の符号を付しその説明を省略する。
【００３５】
リンク用ＭＣ ＬＬＩＤ設定部１５には、通信リンク確立の処理に使用する下り方向用のＭＣ  ＬＬＩＤが保守業者等によりＨ／ＷまたはＳ／Ｗで設定される。また、ＯＮＵ２のリンク用ＭＣ  ＬＬＩＤ設定部１５には、通信リンク処理に使用する下り方向用のＭＣ  ＬＬＩＤが保守業者等によりＨ／ＷまたはＳ／Ｗで設定される。
【００３６】
ここで、ＭＣ（Ｍｕｌｔｉｃａｓｔ)（以下、リンク用ＭＣ）とは、マルチキャスト信号で対象となる高優先ＯＮＵ２にのみＤｉｓｃｏｖｅｒｙＧＡＴＥ信号を送信する信号のことである。従来では、通信リンクを確立するためにＯＬＴ１からＤｉｓｃｏｖｅｒｙＧＡＴＥ信号をブロードキャスト方式で、ＯＬＴ１に接続されている全てのＯＮＵ２及びＯＮＵ６に対して一斉送信し、通信リンクの確立処理が実施されていたのに対し、この実施の形態２では、リンク用ＭＣを用いて、ＯＮＵ２に対してのみＤｉｓｃｏｖｅｒｙＧＡＴＥ信号を送信して通信リンク確立を実施する。また、ＭＣ ＬＬＩＤとは、前記リンク用ＭＣ信号に用いられるＬＬＩＤのことである。
【００３７】
ＯＮＵ２のリンク用ＭＣ ＬＬＩＤ設定部２５には、出荷時等にＭＣ ＬＬＩＤが保守業者等により設定される。リンク用ＭＣ ＬＬＩＤ設定部２５に設定されたＭＣ ＬＬＩＤは、ＰＯＮ制御部２１により読み出されＬＬＩＤ記憶部２４に記憶される。なお、ここでリンク用ＭＣ ＬＬＩＤ設定部２５に設定されるＭＣ ＬＬＩＤには、１００など、ＧｒａｎｔＧＡＴＥ信号等のユニキャストで使用しない番号を割当てるものとする。また、ＯＬＴ１のリンク用ＭＣ ＬＬＩＤ設定部１５にも同様にＭＣ ＬＬＩＤが設定されるが、ＯＬＴ１のリンク用ＭＣ ＬＬＩＤ設定部１５に設定されるＭＣ ＬＬＩＤと、ＯＮＵ２のリンク用ＭＣ ＬＬＩＤ設定部２５に設定されるＭＣ ＬＬＩＤとは同一番号が設定される。
【００３８】
次に動作について説明する。
図８は、実施の形態２によるＰＯＮシステムの通信リンク確立のシーケンスを示した図である。ここでは、この実施の形態２によるＰＯＮシステムの通信リンク確立について図７及び図８を用いて説明する。はじめに、ＯＬＴ１のＰＯＮ制御部１１は、リンク用ＭＣ ＬＬＩＤ設定部１５に設定されたＭＣ ＬＬＩＤを読み出す。次に、ＰＯＮ制御部１１は、読み出したＭＣ ＬＬＩＤを送信するよう光送受信部１２へ指示する。次に、光送受信部１２は、ＰＯＮ制御部１１からの指示に基づき、前記ＭＣ ＬＬＩＤを含むＤｉｓｃｏｖｅｒｙＧＡＴＥ信号をマルチキャストフレームにより送信する。
【００３９】
次に、ＯＮＵ２のＰＯＮ制御部２１は、光送受信部２２で受信したＤｉｓｃｏｖｅｒｙＧＡＴＥ信号に含まれるＭＣ ＬＬＩＤがＬＬＩＤ記憶部２４に記憶されているＭＣ ＬＬＩＤと一致しているかを確認する。ここでは、全てのＯＮＵ２のリンク用ＭＣ ＬＬＩＤ設定部２５には、ＯＬＴ１のリンク用ＭＣ ＬＬＩＤ設定部１５に設定されたＭＣ ＬＬＩＤと同一のＭＣ ＬＬＩＤが設定されている。このため、ＯＬＴ１に接続された全てのＯＮＵ２は、ＯＬＴ１から送信されたＤｉｓｃｏｖｅｒｙＧＡＴＥ信号からＯＬＴ１への送信タイミングと送信帯域、タイムスタンプを読み取り、時刻同期を行なった上で、ＯＬＴ１にＲｅｇｉｓｔｅｒＲＥＱ（登録要求）信号を送信する。
【００４０】
次に、ＯＬＴ１のＰＯＮ制御部１１は、ＯＮＵ２から送信されるＲｅｇｉｓｔｅｒＲＥＱ信号から、ＲＴＴとＭＡＣアドレスを読み取り、リンク用ＭＣ ＬＬＩＤ設定部１５へ登録する。次に、ＰＯＮ制御部１１は、ＲｅｇｉｓｔｅｒＲＥＱ信号を送信してきた各ＯＮＵ２に対して、ユニキャスト用のＬＬＩＤを付与するためＲｅｇｉｓｔｅｒ信号の送信を光送受信部１２へ指示する。光送受信部１２は、ＰＯＮ制御部１１からの指示に基づき、ユニキャスト用のＬＬＩＤを含むＲｅｇｉｓｔｅｒ信号を各ＯＮＵ２へ送信する。ＯＬＴ１からＲｅｇｉｓｔｅｒ信号を受信した各ＯＮＵ２は、Ｒｅｇｉｓｔｅｒに含まれるＬＬＩＤをＬＬＩＤ記憶部２４へ記憶すると共に、ＯＬＴ１に対してＲｅｇｉｓｔｅｒＡＣＫ信号を送信し、ＯＮＵ２の登録処理は完了する。
【００４１】
なお、優先度の高いサービスを提供しないＯＮＵ６では、ＭＣ  ＬＬＩＤが設定されていないかリンク用ＭＣ  ＬＬＩＤ設定部２５の機能が無効にされているため、ＯＬＴ１より送信されたＤｉｓｃｏｖｅｒｙＧＡＴＥ信号は無視される。このため、ＯＮＵ６からＯＬＴ１へＲｅｇｉｓｔｅｒＲＥＱ信号は送信されない。ＯＮＵ６は、ＯＮＵ２との通信リンク確立後、または規定時間経過後に、ＩＥＥＥ８０２．３標準で規定された従来と同様の方法により通信リンクが確立される。
【００４２】
以上のように、優先度の高いサービスの提供を行うＯＮＵ２のみにマルチキャスト方式でＤｉｓｃｏｖｅｒｙＧＡＴＥ信号を送信することで、通常の通信リンク確立のために必要な処理を短縮化して、優先度が高いＯＮＵ２との通信リンクを高速に確立することができるという効果がある。その他の効果は実施の形態１と同様である。
【００４３】
なお、実施の形態２では、単一のＭＣ  ＬＬＩＤを使用する形態について説明したが、ＯＬＴ１のリンク用ＭＣ  ＬＬＩＤ設定部１５、及びＯＮＵ２のリンク用ＭＣ  ＬＬＩＤ設定部２５のそれぞれに複数のＭＣ  ＬＬＩＤを設定して２以上のＭＣ  ＬＬＩＤを使用するようにしてもよい。この場合、通信リンクの確立は、ＯＮＵ２単位ではなく、ＯＮＵ２内のユニキャスト用ＬＬＩＤと１対１に接続されることとなる。このように構成すれば、ＯＮＵ単位ではなく、ＬＬＩＤ単位で通信リンクの確立を行うことができ、同一のＯＮＵ内に高優先ＬＬＩＤや中優先ＬＬＩＤ、低優先ＬＬＩＤ等、複数のＬＬＩＤを持つことが可能である。
【００４４】
実施の形態３．
図９は、実施の形態３によるＰＯＮシステムの構成を示した図である。実施の形態２ではＯＮＵ２にマルチキャスト用のＭＣ  ＬＬＩＤを設定し、マルチキャスト方式によりＯＮＵ２へＤｉｓｃｏｖｅｒｙＧＡＴＥ信号を送信する形態について説明したが、この実施の形態３では、ＯＮＵ２にマルチキャスト用のＭＣ宛先アドレスを設定し、マルチキャスト方式によりＯＮＵ２へＤｉｓｃｏｖｅｒｙＧＡＴＥ信号を送信する形態について説明する。
【００４５】
この実施の形態３によるＰＯＮシステムは、ＯＬＴ１が、優先ＬＬＩＤ設定部１４の代わりにリンク用ＭＣ送信設定部１６を備えている点、及びＯＮＵ２がＬＬＩＤ固定部２３の代わりにリンク信号判定部２６とリンク用ＭＣ受信設定部２７を備えている点が、実施の形態２と異なる。その他の構成については、実施の形態２と同様であるため、同一の符号を付しその説明を省略する。
【００４６】
リンク用ＭＣ送信設定部１６には、通信リンク処理に使用する下り方向用のＭＣ宛先アドレスが保守業者等によりＨ／ＷまたはＳ／Ｗ設定される。また、ＯＮＵ２のリンク用ＭＣ受信設定部２７には、通信リンク処理に使用する下り方向用のＭＣ受信アドレスが保守業者等によりＨ／ＷまたはＳ／Ｗで設定される。ここで、ＭＣ宛先アドレスとは、リンク用ＭＣの宛先アドレス（ＤＡ：Ｄｅｓｔｉｎａｔｉｏｎ Ａｄｄｒｅｓｓ）のことである。またＭＣ受信アドレスとは、リンク用ＭＣの受信アドレスのことである。なお、ＭＣ宛先アドレスとＭＣ受信アドレスは、同一アドレスに設定される。
【００４７】
リンク用ＭＣ送信設定部１６の設定は、優先的に通信リンクを確立する必要のあるＯＮＵ２の加入者宅への設置時、または出荷時に行われる。ここでリンク用ＭＣ送信設定部１６に設定されるＭＣ宛先アドレスとして、０１−ＡＡ−ＢＢ−ＣＣ−０１等のアドレスが考えられる。ＡＡ、ＢＢ及びＣＣは、通信ネットワークにおいて予約されていないアドレスで本システムのＰＯＮ区間のみで使用するアドレスである。また、ＯＮＵ６は、実施の形態１と同様に優先度の低いサービスを提供するものとし、リンク用ＭＣ受信設定部２７の設定を行わない、あるいは無効設定がされている。
【００４８】
次に動作について説明する。
図１０は、実施の形態３によるＰＯＮシステムの通信リンク確立のシーケンスを示した図である。ここでは、この実施の形態３によるＰＯＮシステムの通信リンク確立について図９及び図１０を用いて説明する。はじめに、ＯＬＴ１のＰＯＮ制御部１１は、リンク用ＭＣ送信設定部１６に設定されたＭＣ宛先アドレスを読み出す。次に、ＰＯＮ制御部１１は、読み出したＭＣ宛先アドレスを送信するよう光送受信部１２へ指示する。次に、光送受信部１２は、ＰＯＮ制御部１１からの指示に基づき、前記ＭＣ宛先アドレスを含むＤｉｓｃｏｖｅｒｙＧＡＴＥ信号をマルチキャストフレームにより送信する。
【００４９】
次に、ＯＮＵ２のリンク信号判定部２６は、光送受信部２２で受信したＤｉｓｃｏｖｅｒｙＧＡＴＥ信号に含まれるＭＣ宛先アドレスがリンク用ＭＣ受信設定部２７に設定されているＭＣ受信アドレスと一致しているかを確認する。ここでは、全てのＯＮＵ２のリンク用ＭＣ受信設定部２７には、ＯＬＴ１のリンク用ＭＣ送信設定部１６に設定されたＭＣ宛先アドレスと同一のＭＣ受信アドレスが設定されている。このため、ＯＬＴ１に接続された全てのＯＮＵ２は、ＯＬＴ１から送信されたＤｉｓｃｏｖｅｒｙＧＡＴＥ信号を読み込み、ＯＬＴ１への送信タイミングと送信帯域、タイムスタンプを読み取り、時刻同期を行なった上で、ＯＬＴ１にＲｅｇｉｓｔｅｒＲＥＱ（登録要求）信号を送信する。
【００５０】
次に、ＯＬＴ１のＰＯＮ制御部１１は、ＯＮＵ２から送信されるＲｅｇｉｓｔｅｒＲＥＱ信号から、ＲＴＴとＭＡＣアドレスを読み取り、リンク用ＭＣ  ＬＬＩＤ設定部１５へ登録する。次に、ＰＯＮ制御部１１は、ＲｅｇｉｓｔｅｒＲＥＱ信号を送信してきた各ＯＮＵ２に対して、ユニキャスト用のＬＬＩＤを付与するためＲｅｇｉｓｔｅｒ信号の送信を光送受信部１２へ指示する。光送受信部１２は、ＰＯＮ制御部１１からの指示に基づき、ユニキャスト用のＬＬＩＤを含むＲｅｇｉｓｔｅｒ信号を各ＯＮＵ２へ送信する。ＯＬＴ１からＲｅｇｉｓｔｅｒ信号を受信した各ＯＮＵ２は、Ｒｅｇｉｓｔｅｒに含まれるＬＬＩＤをＬＬＩＤ記憶部２４へ記憶すると共に、ＯＬＴ１に対してＲｅｇｉｓｔｅｒＡＣＫ信号を送信し、ＯＮＵ２の登録は完了する。
【００５１】
なお、優先度の高いサービスをしないＯＮＵ６では、リンク用ＭＣ受信設定部２７にＭＣ受信アドレスが設定されていないか、もしくはリンク用ＭＣ受信設定部２７が無効設定とされている。このため、ＯＬＴ１より送信されたＤｉｓｃｏｖｅｒｙＧＡＴＥ信号は無視され、ＯＮＵ６からＯＬＴ１へＲｅｇｉｓｔｅｒＲＥＱ信号は送信されない。ＯＮＵ６は、ＯＮＵ２との通信リンク確立後、または規定時間経過後に、ＩＥＥＥ８０２．３標準で規定された従来と同様の方法により通信リンクが確立される。
【００５２】
以上のように、優先度の高いサービスの提供を行うＯＮＵ２のみにマルチキャストでＤｉｓｃｏｖｅｒｙＧＡＴＥ信号を送信することで、通常の通信リンク確立のために必要な処理を短縮化して、優先度が高いＯＮＵ２との通信リンクを高速に確立することができるという効果がある。その他の効果は実施の形態２と同様である。なお実施の形態１ではＬＬＩＤを用いてユニキャスト方式により通信リンクを確立していたが、この実施の形態３のように、ＬＬＩＤの代わりに宛先アドレスを用いるようにしても良い。この場合、前記宛先アドレスは、各ＯＮＵ２に固有のアドレスとなる。
【図面の簡単な説明】
【００５３】
【図１】実施の形態１によるＰＯＮシステムの構成を示した図である。
【図２】実施の形態１によるＰＯＮシステムの信号処理について示した図である。
【図３】実施の形態１によるＰＯＮシステムによるＬＬＩＤの割り当て方法について説明した図である。
【図４】実施の形態１によるＰＯＮシステムの通信リンク確立のシーケンスを示した図である。
【図５】実施の形態１によるＰＯＮシステムの信号待ちウインドウの調整を説明する図である。
【図６】実施の形態１によるＰＯＮシステムによる他のＬＬＩＤの割り当て方法について説明した図である。
【図７】実施の形態２によるＰＯＮシステムの構成を示した図である。
【図８】実施の形態２によるＰＯＮシステムの通信リンク確立のシーケンスを示した図である。
【図９】実施の形態３によるＰＯＮシステムの構成を示した図である。
【図１０】実施の形態３によるＰＯＮシステムの通信リンク確立のシーケンスを示した図である。
【符号の説明】
【００５４】
１  ＯＬＴ、２，６  ＯＮＵ、３  光分岐器、４  監視端末、５  光ファイバ、１１，２１  ＰＯＮ制御部、１２，２２  光送受信部、１３  ＬＬＩＤ情報格納部、１４  優先ＬＬＩＤ設定部、１５，２５  リンク用ＭＣ  ＬＬＩＤ設定部、１６  リンク用ＭＣ送信設定部、２３  ＬＬＩＤ固定部、２４  ＬＬＩＤ記憶部、２６  リンク信号判定部、２７  リンク用ＭＣ受信設定部。
【図１】
2009188519.tif 000003
【図２】
2009188519.tif 000004
【図３】
2009188519.tif 000005
【図４】
2009188519.tif 000006
【図５】
2009188519.tif 000007
【図６】
2009188519.tif 000008
【図７】
2009188519.tif 000009
【図８】
2009188519.tif 000010
【図９】
2009188519.tif 000011
【図１０】
2009188519.tif 000012